(57)【特許請求の範囲】
【請求項１】
金属板と、該金属板の左右に配置された合成樹脂製の側面板と、前記金属板の下部に配置された合成樹脂製の底面板とを備え、前記金属板、前記側面板、および底面板を組合せて形成された空間に充填され発泡されたウレタンフォームとを有した冷蔵庫の扉であって、
前記扉は一枚の前記金属板で該扉の上端面と表正面と下端面が形成され、
前記側面板は前記金属板の左右端部と係合する溝を有し、
前記底面板は前記金属板の下端面の端部と係合する溝を有し、前記金属板上端部に湾曲部を有し、該湾曲部の背面側に補強金具が設けられ、該補強金具は前記扉のハンドル側に穴を有し、
ヒンジ側の前記側面板は、ヒンジピンを介して前記補強金具と連結され、前記扉のハンドル側の前記側面板は上部に突起を有し、該突起が前記補強金具の前記穴に係合することを特徴とする冷蔵庫の扉。
【発明の詳細な説明】
【０００１】
【発明の属する技術分野】
本発明は冷蔵庫に係り、冷蔵庫の扉に関する。
【０００２】
【従来の技術】
従来の冷蔵庫扉を図１０〜図１５を参照して説明する。図１０は従来の冷蔵庫の外観斜視図、図１１は従来の冷蔵庫扉の要部斜視図、図１２は従来の冷蔵庫扉の構成部品の要部斜視図である。
【０００３】
図１３は従来冷蔵庫の扉上エンドピース断面図、図１４は従来の冷蔵庫扉の発泡後の横断面図、図１５は従来の冷蔵庫扉の発泡後の縦断面図である。
【０００４】
図に於いて、１０１は扉の外板であり、プレス加工により扉の正面部１０１ａと扉の左端面１０１ｂおよび右端面１０１ｃとが一枚の鉄板、ステンレス板等の金属板で成形されている。１０２は扉上端面を構成する扉上側エンドピースであり、外周には溝１０２ａがあり、扉外板１０１の上端の切断部が挿入される。又内側には後述するが、扉の曲り防止をする上側補強金具１０４を嵌合（係合）して収納する溝１０２ｂがあり、上側補強金具１０４がはずれないように先端には数個所に引掛け爪１０２ｄが設けられている。又右端には扉を回動自在に支持するヒンジ上側の上ヒンジピンを受ける上ヒンジピン受１０２ｃが成形されている。
【０００５】
１０３は扉下端面を構成する扉下側エンドピースであり、外周には扉上側エンドピース１０２と同様溝があり、扉外板１０１の下端の切断部が挿入される。又、内側には下側補強金具１０５を嵌合して収納する溝１０３ｂがあり、下側補強金具１０５がはずれないように先端には数個所引掛け爪１０３ｄが設けられている。又、右側には扉を回動自在に支持するヒンジ下側の下ヒンジピンを受けるピン受１０３ｃが成形されている。
【０００６】
尚、外板１０１の上端および下端を扉上側エンドピース（上側補強金具１０４がすでに嵌合されている）と扉下側エンドピース（下側補強金具１０５がすでに嵌合されている）の溝に各々挿入し、扉内板１０６を合せてウレタン発泡すると扉が完成する。尚、出来上った扉は冷蔵庫に取付けて運転すると、冷蔵庫内が冷えると扉の外と扉の内側とでは夏場は温度差が３０°Ｃ〜４０°Ｃつくので、扉の中のウレタンフォームの気泡が外側は膨張し内側は収縮などの変化をして、扉が曲り出すので、曲り防止のために上側補強金具１０４および下側補強金具１０５が入れてある。
【０００７】
このような従来の技術の一例は、特開平８−１２１９４６号公報に開示されている。
【０００８】
【発明が解決しようとする課題】
上記のような従来技術の冷蔵庫の扉において、扉上下にエンドピースがあるが、扉上下側エンドピースを各々扉の右側と左側になるように、丁度９０度回転させたようにすることが考えられる。このようにした場合は、扉の合せ目で横線が入らず、スッキリした斬新なデザインができる。しかし、この時、ヒンジ側である右側面板が扉の上下のヒンジピンで回動自在に固定されると扉外板、扉内板、ウレタンフォームおよび扉の内板に設けられた収納部に収納されている食品の重さの合計が、ヒンジ側の側面板の溝に挿入されている外板や側面板に成形されているリブ等にくっついているウレタンフォームとの結合強度若しくは耐荷重を越えると重さや開閉の衝撃に耐え切れなくなり扉が変形してウレタンフォームは表層剥離し、外板は側面板の溝から脱けだして、扉が分解破損する恐れがある。このようなhに従来の冷蔵庫扉の作り方では冷蔵庫扉と扉の収納部（ポケット）に入れた食品類の重さで、ヒンジ側の側面板から扉の構成部品である外板や内板がはずれてしまう恐れがある。
【０００９】
本発明の目的は、冷蔵庫の扉に負荷を入れた時にヒンジ側の側面板から扉の構成部品が剥離しにくい強度の向上した冷蔵庫の扉を提供することにある。
【００１０】
【課題を解決するための手段】
上記目的は、金属板と、該金属板の左右に配置された合成樹脂製の側面板と、前記金属板の下部に配置された合成樹脂製の底面板とを備え、前記金属板、前記側面板、および底面板を組合せて形成された空間に充填され発泡されたウレタンフォームとを有した冷蔵庫の扉であって、前記扉は一枚の前記金属板で該扉の上端面と表正面と下端面が形成され、前記側面板は前記金属板の左右端部と係合する溝を有し、前記底面板は前記金属板の下端面の端部と係合する溝を有し、前記金属板上端部に湾曲部を有し、該湾曲部の背面側に補強金具が設けられ、該補強金具は前記扉のハンドル側に穴を有し、ヒンジ側の前記側面板は、ヒンジピンを介して前記補強金具と連結され、前記扉のハンドル側の前記側面板は上部に突起を有し、該突起が前記補強金具の前記穴に係合することを特徴とする冷蔵庫の扉。により達成される。
【００１３】
【発明の実施の形態】
以下本発明の詳細を図１ないし図６を用いて説明する。◆
図１は本発明の一実施の形態を示す冷蔵庫扉構成部品の要部斜視図である。図２は本発明の一実施の形態を示す冷蔵庫の外観斜視図である。３は本発明の一実施の形態を示す冷蔵庫扉の発泡後の横断面図である。図４は本発明の一実施の形態を示す冷蔵庫扉の発泡後の縦断面図である。図５は本発明の一実施の形態を示す冷蔵庫扉の側面板の内側の視図である。図６は本発明の一実施の形態を示す冷蔵庫扉の底板の断面図である。図７は本発明の一実施の形態を示す冷蔵庫扉の補強金具と右側面板とヒンジピンの接合部である。図８は本発明の一実施の形態を示す冷蔵庫扉の上側補強金具と左側面板の固定部の突起との接合部である。図９は本発明の一実施の形態を示す冷蔵庫扉の底板と側面板の組合せを示す下方からみた斜視図である。
【００１４】
これらの図において、１は冷蔵庫本体、２は冷蔵庫扉、３は扉２を構成するヒンジ側の右側面板、４は同じくハンドル側の左側面板であり、冷蔵庫扉２の扉表面２ｂ，扉上端面２ｃおよび扉下端面２ｄの両端部は各々に側面板３、４の溝３ｂおよび４ａに、又扉下端面の先端は底面板５の溝５ａに挿入されて扉２の外観を形成し、かような部品と扉の曲り防止の上側補強金具１１および下側補強金具１４、それに内板１２を組合せて発泡治具（図示せず）に設定後ウレタンフォーム１５を発泡して扉は出来上り、上側ヒンジピン６および中間ヒンジピン７により回動自在に冷蔵庫本体１に取付けられる。しかし、このままでは扉の構成部品の重さと扉の内板に収納する食品の重さと更に扉開閉に伴う衝撃でウレタンフォーム１５の接着力で維持されていた扉外板２ａが表層剥離を起し、ヒンジ側の側面板３の溝３ｂから抜けたり、リブ等から剥れたりして、分離分解し破損した扉が落下する恐れがある。
【００１５】
次に、本発明でもある、荷重に耐える構造について説明する。◆
金属板の曲げ加工により一枚の金属板（扉外板）２ａから扉の扉上端面２ｃと扉表面２ｂと扉下端面の一部２ｄが形成され、左右の側面板３、４及び底面板５は合成樹脂にて成形される。次に、扉外板２ａの左右の切断部が各々の側面板３、４の溝３ｂ、４ａに挿入される。さらに、扉外板２ａの扉下端面２ｄの切断部を底板５の溝５ａに挿入し左右の側面板の分離防止のために、外板上端部２ｃの曲げた内側に上側補強金具１１を入れることにし、上側補強金具１１のハンドル側には角穴１１ａをあけて（穴若しくは突起などの係合手段を設け）ハンドル側の左側面板４には上側補強金具１１の角穴１１ａに引掛かる位置に突起４ａ（穴若しくは突起などの係合手段）を設けて、左側面板４に上側補強金具１１を挿入する。このことにより突起４ｂに角穴１１ａが引掛かることになる。
【００１６】
しかる後、上側補強金具１１のヒンジ側に設けた丸穴１１ｂ部がヒンジ側の右側面板３に設けてある上側補強金具１１の位置決めに沿って挿入され、丸穴１１ｂをヒンジピン挿入穴３ａに合せられた後、右側面板３のヒンジピン挿入穴３ａを経由して、上側補強金具１１の丸穴１１ｂに上側ヒンジピン６を挿入して上側補強金具１１が右側面板３からはずれないように固定される。
【００１７】
次にあらかじめ底面板にあけてある中間ヒンジ穴５ｂと下側補強金具１４のヒンジ側の丸穴とを合せられた後、中間ヒンジピン１７の成形してある中間ヒンジ金具１６の中間ヒンジピン７が穴に通され、更にビス１７にて三者が分離しないように下側補強金具１４に固定される。その後に、扉内板１２と合せてウレタンフォーム発泡雇（図示せず）に入れて発泡され固化されて一体の扉となる。なお、左側側面板４側の底面板５には、上記中間ヒンジ金具１６を収納して扉を左開きでしよう可能とする凹所１６ａが設けられている。
【００１８】
このような構造とすることにより、従来の扉を構成していた上側、下側のエンドピースが、左側、右側の側面板となったことにより、冷蔵庫の外観上、扉の枚数が増えても、扉毎の従来の扉にあった上側、下側のエンドピースによる横線が目立たなくなり、スッキリした、しかも両側面の強調された従来にない高いインテリア性を表現した冷蔵庫扉を提供することが出来る。
【００１９】
さらに、扉の上端に入れた上側補強金具が扉の曲り防止を兼ねて左右の側面板がはずれるのを防いでいるので、扉に重い負荷が入ったり、扉への衝撃で扉の外板部とヒンジ側の側面板が剥離したり分解する恐れがなくなり斬新なデザインの安全性の高い扉を提供することが出来る。
【００２０】
【発明の効果】
以上の通り、本発明によれば強度の向上した冷蔵庫の扉を提供できる。
【図面の簡単な説明】
【図１】本発明の一実施の形態を示す冷蔵庫扉構成部品の要部斜視図である。
【図２】本発明の一実施の形態を示す冷蔵庫の外観斜視図である。
【図３】本発明の一実施の形態を示す冷蔵庫扉の発泡後の横断面図である。
【図４】本発明の一実施の形態を示す冷蔵庫扉の発泡後の縦断面図である。
【図５】本発明の一実施の形態を示す冷蔵庫扉の側面板の内側の視図である。
【図６】本発明の一実施の形態を示す冷蔵庫扉の底板の断面図である。
【図７】本発明の一実施の形態を示す冷蔵庫扉の上側補強金具と右側面板と上側ヒンジピンの接合部である。
【図８】本発明の一実施の形態を示す冷蔵庫扉の上側補強金具と左側面板の固定部の突起との接合部である。
【図９】本発明の一実施の形態を示す冷蔵庫扉の底面板と側面板の組合せを示す下方からみた左右部分の斜視図である。
【図１０】従来の冷蔵庫の外観斜視図である。
【図１１】従来の冷蔵庫扉の要部斜視図である。
【図１２】従来の冷蔵庫扉の構成部品の要部斜視図である。
【図１３】従来の冷蔵庫扉の扉上エンドピース断面図である。
【図１４】従来の冷蔵庫扉の発泡後の横断面図である。
【図１５】従来の冷蔵庫扉の発泡後の縦断面図である。
【符号の説明】
１  冷蔵庫本体            １３  右側補強金具
２  冷蔵庫扉              １４  下側補強金具
２ａ  扉外板（鉄板）      １５  ウレタンフォーム
２ｂ  扉表面              １６  中間ヒンジ金具
２ｃ  扉上端面            １７  ビス
２ｄ  扉下端面            １８  左側補強金具
３  右側面板（ヒンジ側）  １０１  扉外板
3a  ヒンジピン挿入穴      １０１ａ  扉正面部
3b  溝                    １０１ｂ  扉左端面
４左側面板（ハンドル側）  １０１ｃ  扉右端面
４ａ  溝                  １０２  扉上側エンドピース
４ｂ  固定部の突起      １０２ａ  扉上側エンドピース外板溝
５  底面板，５ａ 溝  １０２ｂ  扉上側エンドピース補強金具溝
５ｂ  中間ヒンジ穴    １０２ｃ  上側ヒンジピン受
６  上側ヒンジピン    １０２ｄ  扉側上エンドピース爪
６ａ上側ヒンジ金具    １０３  扉下側エンドピース
７  中間ヒンジピン    １０３ａ  扉下側エンドピース溝
８  下側ヒンジ        １０３ｂ  扉下側エンドピース補強溝
９  ハンドル          １０３ｃ扉下側エンドピースヒンジピン受
１０  冷凍室扉        １０３ｄ  扉下側エンドピース爪
１１  上側補強金具上    １０４  上側補強金具
１１ａ  角穴            １０５  下側補強金具
１１ｂ  丸穴            １０６  扉内板
１２  内板
【図１】
0004045078.tif 000002
【図２】
0004045078.tif 000003
【図３】
0004045078.tif 000004
【図４】
0004045078.tif 000005
【図５】
0004045078.tif 000006
【図６】
0004045078.tif 000007
【図７】
0004045078.tif 000008
【図８】
0004045078.tif 000009
【図９】
0004045078.tif 000010
【図１０】
0004045078.tif 000011
【図１１】
0004045078.tif 000012
【図１２】
0004045078.tif 000013
【図１３】
0004045078.tif 000014
【図１４】
0004045078.tif 000015
【図１５】
0004045078.tif 000016